(57)【特許請求の範囲】
【請求項１】
製品または前記製品を構成する部品の含有化学物質を管理する含有化学物質通知システムであって、
クライアント端末は、
前記製品または前記部品の化学物質の含有量が所定の条件を満たしているか否かについての判定結果を要求し、前記製品または前記部品の含有化学物質を管理するサーバから前記判定結果を取得するクライアント制御部と、
前記クライアント制御部が取得した前記判定結果を表示する表示部と、を備え、
前記サーバは、
前記所定の条件として定められた期間において取り扱いが可能な化学物質の量を示す閾値と、前記製品または前記部品に含まれる化学物質の含有量とを記憶する記憶部と、
前記期間に取り扱われた前記製品または前記部品の数と、前記製品または前記部品の化学物質の含有量とに基づいて、前記期間内に使用された化学物質の量を集計し、集計した前記化学物質の量が前記閾値を越えているか否かを判定することにより、前記所定の条件への適合状況を前記判定結果として通知するサーバ制御部と、
を備えることを特徴とする含有化学物質通知システム。
【請求項２】
前記サーバ制御部は、集計した前記化学物質の量が前記閾値を越えていないと判定した場合、前記期間のうちの残りの期間で使用可能な化学物質の量を集計し、集計した前記化学物質の量と、前記製品または前記部品に含まれる化学物質の含有量とに基づいて、前記残りの期間で取り扱い可能な前記製品または前記部品の数を前記判定結果として通知する、
ことを特徴とする請求項１に記載の含有化学物質通知システム。
【請求項３】
前記クライアント制御部は、前記適合状況と、前記残りの期間で取り扱い可能な前記製品または前記部品の数と、前記製品または前記部品の化学物質の含有量とを前記表示部に表示させる、
ことを特徴とする請求項２に記載の含有化学物質通知システム。
【請求項４】
前記記憶部は、前記製品と前記部品との親子関係を定めたリンク情報と、前記部品と前記部品に含まれる前記化学物質の量とを対応付けた含有化学物質情報とを記憶し、
前記サーバ制御部は、前記部品に含まれる前記化学物質の量と前記親子関係として定められている子部品の数とを用いて前記製品または前記部品の取り扱い可能な数を前記判定結果として通知する、
ことを特徴とする請求項２または３に記載の含有化学物質通知システム。
【請求項５】
前記サーバ制御部は、集計した前記化学物質の量が前記閾値を越えていると判定した場合、超過している化学物質の量を集計し、集計した前記化学物質の量と、前記製品または前記部品に含まれる化学物質の含有量とに基づいて、取り扱いを減らす前記製品または前記部品の数を前記判定結果として通知する、
ことを特徴とする請求項１〜４のいずれか１項に記載の含有化学物質通知システム。
【請求項６】
前記クライアント制御部は、前記適合状況と、前記残りの期間で取り扱いを減らす前記製品または前記部品の数と、前記製品または前記部品の化学物質の含有量と、前記製品または前記部品のうち減らすことが必要となる部品とを前記表示部に表示させる、
ことを特徴とする請求項２に記載の含有化学物質通知システム。
【請求項７】
前記記憶部は、前記製品と前記部品との親子関係を定めたリンク情報と、前記部品と前記部品に含まれる前記化学物質の量とを対応付けた含有化学物質情報とを記憶し、
前記サーバ制御部は、前記部品に含まれる前記化学物質の量と前記親子関係として定められている子部品の数とを用いて取り扱いを減らす前記製品または前記部品の数を前記判定結果として通知する、
ことを特徴とする請求項５または６に記載の含有化学物質通知システム。
【請求項８】
製品または前記製品を構成する部品の含有化学物質を管理する含有化学物質通知装置であって、
所定の条件として定められた期間において取り扱いが可能な化学物質の量を示す閾値と、前記製品または前記部品に含まれる化学物質の含有量とを記憶する記憶部と、
前記製品または前記部品の化学物質の含有量が前記所定の条件を満たしているか否かについての判定結果の要求を受けて、前記期間に取り扱われた前記製品または前記部品の数と、前記製品または前記部品の化学物質の含有量とに基づいて、前記期間内に使用された化学物質の量を集計し、集計した前記化学物質の量が前記閾値を越えているか否かを判定することにより、前記所定の条件への適合状況を前記判定結果として出力する制御部と、
を備えることを特徴とする含有化学物質通知装置。
【発明の詳細な説明】
【技術分野】
【０００１】
本発明は、製品(成形品)を構成する部品情報と共に、部品が含有している化学物質情報を管理する含有化学物質通知システム、および含有化学物質通知方法に関する。
【背景技術】
【０００２】
従来、製品やその製品に用いられる部品の生産工程を管理する様々な手法が存在する。例えば、特許文献１では、購買先との取引条件や工程に応じ、期間だけではなく手配やグループ単位で製品やその部品についての生産指示を行うことにより、柔軟な生産指示を可能としている。
【先行技術文献】
【特許文献】
【０００３】
【特許文献１】特開２００７−２６５０５７号公報
【発明の概要】
【発明が解決しようとする課題】
【０００４】
近年、世界的な環境保護の観点から、欧州のＲＥＡＣＨ（Registration,  Evaluation,  Authorization  and  Restriction  of  Chemicals）規則に代表されるように、化学物質(有害物質)の管理に対する規制が、年々厳しさを増している。従来の規制が、指定された使用禁止物質の含有有無を問うものが主であったのに対し、より具体的に、製品を構成する化学物質の種類や、その含有量の情報が求められるようになってきている。また、日本においても、昨年に化学物質審査規制法が施行され、化学物質を用いた製品や部品の一定期間の取引量や移動量について適切に管理することが求められている。
【０００５】
上述した特許文献１では、製品や部品に対する生産指示を細分化し、製品や部品を効率よく生産することを可能としているが、化学物質についての取引量や移動量については考慮されておらず、その管理が行われていない。したがって、含有化学物質に関する各種法令の要件を満たしているか否かを判断する場合には手作業で個別の対応が必要となり、例えば、製品や部品の仕入れ先や納入先となる取引先ごとに含有化学物質の取引量や移動量のチェックを手作業で行う等の対応が必要であり、その管理が煩雑であった。
【０００６】
本発明の目的は、上記に鑑みてなされたものであって、製品や部品の含有化学物質量を容易に管理することが可能な含有化学物質通知システム、および含有化学物質通知方法を提供することを目的とする。
【課題を解決するための手段】
【０００７】
上述した課題を解決し、目的を達成するために、本発明にかかる含有化学物質通知システムは、製品または前記製品を構成する部品の含有化学物質を管理する含有化学物質通知システムであって、クライアント端末は、前記製品または前記部品の化学物質の含有量が所定の条件を満たしているか否かについての判定結果を要求し、前記製品または前記部品の含有化学物質を管理するサーバから前記判定結果を取得するクライアント制御部と、前記クライアント制御部が取得した前記判定結果を表示する表示部と、を備え、前記サーバは、前記所定の条件として定められた期間において取り扱いが可能な化学物質の量を示す閾値と、前記製品または前記部品に含まれる化学物質の含有量とを記憶する記憶部と、前記期間に取り扱われた前記製品または前記部品の数と、前記製品または前記部品の化学物質の含有量とに基づいて、前記期間内に使用された化学物質の量を集計し、集計した前記化学物質の量が前記閾値を越えているか否かを判定することにより、前記所定の条件への適合状況を前記判定結果として通知するサーバ制御部と、を備えることを特徴とする。
【０００８】
また、本発明にかかる含有化学物質通知装置は、製品または前記製品を構成する部品の含有化学物質を管理する含有化学物質通知装置であって、所定の条件として定められた期間において取り扱いが可能な化学物質の量を示す閾値と、前記製品または前記部品に含まれる化学物質の含有量とを記憶する記憶部と、前記製品または前記部品の化学物質の含有量が前記所定の条件を満たしているか否かについての判定結果の要求を受けて、前記期間に取り扱われた前記製品または前記部品の数と、前記製品または前記部品の化学物質の含有量とに基づいて、前記期間内に使用された化学物質の量を集計し、集計した前記化学物質の量が前記閾値を越えているか否かを判定することにより、前記所定の条件への適合状況を前記判定結果として出力する制御部と、を備えることを特徴とする。
【発明の効果】
【０００９】
本発明によれば、製品や部品の含有化学物質量を容易に管理することが可能な含有化学物質通知システム、および含有化学物質通知方法を提供することができる。
【図面の簡単な説明】
【００１０】
【図１】本発明の実施の形態における含有化学物質通知システムの構成を示す図である。
【図２】部品情報データベースの構成例を示す図である。
【図３】リンク情報データベースの構成例を示す図である。
【図４】含有化学物質情報データベースの構成例を示す図である。
【図５】化学物質法令データベースの構成例を示す図である。
【図６】生産データベースの構成例を示す図である。
【図７】要求画面の構成例を示す図である。
【図８】充足時結果画面の例を示す図である。
【図９】非充足時結果画面の例を示す図である。
【図１０】適用状況通知処理の処理手順を示すフローチャートである。
【図１１】レンズアッシーのＢＯＭの例を示す図である。
【発明を実施するための形態】
【００１１】
以下に添付図面を参照して、本発明にかかる含有化学物質通知システム、および含有化学物質通知方法の実施の形態を詳細に説明する。
【００１２】
図１は、本発明の実施の形態における含有化学物質通知システム１０００の構成を示す図である。図１に示すように、含有化学物質通知システム１０００は、制御部１００と、記憶部２００と、クライアント端末３００とを有して構成され、制御部１００とクライアント端末３００とは、ＬＡＮ（Local  Area  Network）やＷＡＮ（Wide  Area  Network）等の一般的な通信網であるネットワークＮを介して互いに接続されている。制御部１００および記憶部２００は、サーバ等の１つの装置として構成されたり、あるいはクラウド化された１つのシステムとして構成されていてもよい。なお、以下では特に図示していないが、制御部１００やクライアント端末３００は、互いに通信するための通信部を有している。
【００１３】
制御部１００は、ＣＰＵ（Central  Processing  Unit）等の演算装置から構成され、クライアント端末３００からの要求に応じて、含有化学物質通知システム１０００の種々の処理を実行する。図１に示すように、制御部１００は、法令チェック部１０１を有している。
【００１４】
法令チェック部１０１は、含有化学物質通知システム１０００において管理される製品や、その製品を構成する部品に含まれる化学物質が、所定の法令に規定されている要件を満たしているか否かを判定するものである。法令チェック部１０１は、クライアント端末３００から製品あるいは部品の含有化学物質が所定の法令に規定された要件を満たしているか否かのチェック（法令チェック）の要求を受けると、記憶部に記憶されている各種のデータベースを参照し、その結果をクライアント端末３００に表示させる。法令チェック部１０１が行う具体的な処理については、フローチャートを用いて後述する。
【００１５】
記憶部２００は、ＨＤＤ（Hard  Disk  Drive）等の記憶装置から構成され、法令チェック部１０１が法令チェックを行うための各種のデータを記憶する。図１に示すように、記憶部２００は、部品情報データベース２０１と、リンク情報データベース２０２と、含有化学物質情報データベース２０３と、化学物質法令データベース２０４と、生産データベース２０５と、購買データベース２０６とを有している。
【００１６】
部品情報データベース２０１は、管理対象となる部品に関する情報を記憶するものである。図２は、部品情報データベース２０１の構成例を示す図である。
【００１７】
図２に示すように、部品情報データベース２０１は、部品番号と、部品名と、部品種別と、部品質量とが対応付けて記憶されている。部品番号は部品を識別するための識別情報であり、部品名は部品番号によって識別される部品の名称である。部品種別はその部品の種類を示す情報であり、部品質量はその部品自体の質量である。
【００１８】
図２に示す例では、部品番号「Ａ−００１−１」で識別される部品は、部品種別「光学ユニット」として分類される部品名「レンズアッシー」であり、その部品質量は「２０ｇ」であることを示している。これと同様に、部品番号「Ａ−００２−１」で識別される部品は、部品種別「プリント基盤」として分類される部品名「メイン基盤−０１」であり、その部品質量は「１５ｇ」であることを示している。以下、これらと同様に部品に関する情報が記憶されている。
【００１９】
リンク情報データベース２０２は、管理対象となる部品の親子関係（例えば、製品とその製品を構成する部品の関係、部品とその部品を構成する部品の関係）を定める情報を記憶するものである。図３は、リンク情報データベース２０２の構成例を示す図である。
【００２０】
図３に示すように、リンク情報データベース２０２は、部品番号と、親部品番号と、員数とが対応付けて記憶されている。部品番号は部品情報データベース２０１が記憶するものと同様の情報である。親部品番号は、部品番号によって識別される部品の親部品（すなわち、その部品を含む部品）を識別するための識別情報である。員数は、その部品が親部品に含まれた場合の数を示す情報である。
【００２１】
図３に示す例では、部品番号「Ａ−００１−１」で識別される部品（レンズアッシー）は、部品番号「Ａ−００２−１」〜「Ａ−００６−１」で識別される各部品を含む親部品であることを示している。また、部品番号「Ａ−００２−１」で識別される部品（メイン基盤−０１）が、その中に１つ含まれていることを示している。さらに、レンズアッシーは、部品番号「Ａ−００３−１」で識別される部品（抵抗―１０Ｋ）を３つ含んでおり、レンズアッシー自体が抵抗―１０Ｋの親部品となっていることを示している。以下、これらと同様に各部品の親子関係が定められている。
【００２２】
含有化学物質情報データベース２０３は、部品に含まれる化学物質の含有量を記憶するものである。図４は、含有化学物質情報データベース２０３の構成例を示す図である。
【００２３】
図４に示すように、含有化学物質情報データベース２０３は、部品番号と、化学物質名称と、含有量と、単位とが対応付けて記憶されている。部品番号は部品情報データベース２０１等が記憶するものと同様の情報である。化学物質名称は、その部品に含まれる化学物質の名称である。含有量は、その化学物質の部品中の含有量であり、単位は、その含有量の単位である。
【００２４】
図４に示す例では、部品番号「Ａ−００３−１」で識別される部品（抵抗―１０Ｋ）は、化学物質として「銅」を含み、その含有量が「２．５ｍｇ」であることを示している。以下、これと同様に各部品に含まれる化学物質の含有量が定められている。
【００２５】
化学物質法令データベース２０４は、取引先ごとに設けられ、その取引先との間で取引される製品や部品の含有化学物質量が所定の法令の要件を満たすための条件（調達基準）を定めたものである。図５は、化学物質法令データベース２０４の構成例を示す図である。
【００２６】
図５に示すように、化学物質法令データベース２０４は、法令コードと、法令名称と、対象化学物質名称と、判定期間と、閾値と、単位とが対応付けて記憶されている。法令コードは化学物質の含有量について定められた所定の法令を識別するための識別情報である。法令名称は法令コードによって識別される法令の名称である。対象化学物質名称はその法令で取り扱われている化学物質の名称である。判定期間は、対象化学物質について法令チェックを行う対象となる期間である。閾値は判定期間において取扱が可能な化学物質の総量であり、単位はその総量の単位である。
【００２７】
図５に示した例では、法令コード「Ｈ―００１」で識別される法令「○○○法」が規定する化学物質は「鉛」であり、あらかじめ定められた判定期間「２０１１年１月１日〜２０１１年１２月３１日」の間で、その取引先における取扱が可能な総量が「５０００ｍｇ」であることを示している。以下、これと同様に、その取引先において取扱が可能な化学物質の総量が定められている。
【００２８】
生産データベース２０５は、製品や部品の生産情報を記憶するものである。図６は、生産データベース２０５の構成例を示す図である。
【００２９】
図６に示すように、生産データベース２０５は、部品番号と、取引先名と、生産期間と、生産件数とが対応付けて記憶されている。部品番号は部品情報データベース２０１等が記憶するものと同様の情報である。取引先名はその部品の取引先の名称である。生産期間はその部品が生産された期間であり、生産件数は生産期間内にその部品が生産された件数である。
【００３０】
図６に示した例では、取引先である「ＡＡＡ工業」に対して、「２０１１年１月１日〜２０１１年６月３０日」の間に３０００個のレンズアッシー（部品番号「Ａ−００１−１」）を生産し、納入したことを示している。他の部品についてもこれと同様の生産情報が記憶されている。この生産データベース２０５は、含有化学物質通知システム１０００の外部にある生産管理システムから所定のタイミングで提供される。なお、購買データベース２０６も、生産データベース２０５と同様のレイアウトであり、部品番号、取引先名、生産期間と同様の取引期間、生産件数と同様の取引件数（すなわち購買件数）が記憶されたものとなっている。続いて、図１に戻って、クライアント端末３００について説明する。
【００３１】
クライアント端末３００は、ＣＰＵを有した一般的なＰＣ（Personal  Computer）等の情報処理装置から構成され、含有化学物質通知システム１０００の管理者等が、所望の製品や部品が所定の法令に定められた要件を満たしているか否かを判定するための要求を行うものである。図１に示すように、クライアント端末３００は、キーボード等の入力装置から構成される入力部３０１と、ＬＣＤ（Liquid  Crystal  Display）等の表示装置から構成される表示部３０２とを有している。
【００３２】
入力部３０１は、管理者等から所望の製品や部品が所定の法令に定められた要件を満たしているか否かを判定するための条件となる部品番号や法令コードの入力を受け付ける。
【００３３】
表示部３０２は、管理者等が所望の製品や部品が所定の法令に定められた要件を満たしているか否かを判定するための要求を行うための画面（要求画面）を表示する。図７は、要求画面の構成例を示す図である。図７に示すように、要求画面には、部品番号および法令コードを入力するための入力欄が設けられている。
【００３４】
また、表示部３０２は、上述した要求に対して含有化学物質通知システム１０００が判定した結果を表示した画面（結果画面）を表示する。図８は、法令チェックの結果、製品あるいは部品の含有化学物質が所定の法令に規定された要件を満たしていると判定した場合の結果画面（充足時結果画面）の例を示す図であり、図９は、法令チェックの結果、製品あるいは部品の含有化学物質が所定の法令に規定された要件を満たしていると判定した場合の結果画面（非充足時結果画面）の例を示す図である。
【００３５】
図８に示すように、充足時結果画面は、通知対象とした部品番号や名称を含む部品情報、通知対象とした法令コードや法令名称を含む法令情報、化学物質の取引量、生産（または購買）可能な部品の数量、および法令への適合状況が表示されている。また、図９に示すように、非充足時結果画面は、充足時結果画面に表示される各情報に加え、さらに減量対象となる部品情報が表示されている。非充足時結果画面で減量対象となる部品情報を表示する理由は、法令チェックの結果、要件を満たしていない場合に、要件を満たしていないこととなった原因となっている部品を特定し、代替部品により生産や購買が可能であるか否かを判断するためである。これらの各画面の具体的な内容については、後述するフローチャートの中で説明する。
【００３６】
続いて、含有化学物質通知システム１０００で行われる処理（適用状況通知処理）について説明する。図１０は、適用状況通知処理の処理手順を示すフローチャートである。
【００３７】
図１０に示すように、まず、クライアント端末３００は、含有化学物質通知システム１０００の起動指示を受けると、図７に示した要求画面を表示し、管理者等から、対象となる化学物質管理法令の法令コードと、部品番号の指定を受け付け、これらの情報を制御部１００に送信する（ステップＳ１００１）。例えば、クライアント端末３００は、法令コード「Ｈ−００１」および部品番号「Ａ−００１−１」を受け付ける。
【００３８】
制御部１００は、法令チェック部１０１が、クライアント端末３００から法令コードと部品番号を受信すると、受信した部品番号をキーとして生産データベース２０５（または購買データベース２０６）を参照し、その部品の生産件数（または取引件数）を取得する（ステップＳ１００２）。例えば、法令チェック部１０１は、部品番号「Ａ−００１−１」をキーとして生産データベース２０５にアクセスし、生産件数「３０００件」を取得する。
【００３９】
そして、法令チェック部１０１は、部品情報データベース２０１、リンク情報データベース２０２、含有化学物質情報データベース２０３を参照し、指定された部品番号の部品の含有化学物質情報を集計する（ステップＳ１００３）。例えば、法令チェック部１０１は、部品番号「Ａ−００１−１」をキーとして、部品情報データベース２０１、リンク情報データベース２０２にアクセスし、レンズアッシーの親子関係に関する情報を取得し、さらに含有化学物質情報データベース２０３を参照し、親子関係にある部品の価格物質の含有量を集計する。
【００４０】
より具体的には、法令チェック部１０１は、レンズアッシーの親子関係に関する情報として、レンズアッシーのＢＯＭ（Bill  of  Materials）を取得する。図１１は、レンズアッシーのＢＯＭ１１０１の例を示す図である。図１１に示すように、法令チェック部１０１は、部品番号「Ａ−００１−１」であるレンズアッシーを親部品として、レンズアッシーを構成する各部品の構成およびその部品に低まれる化学物質とその含有量を対応付けたＢＯＭを取得する。図１１に示す例では、レンズアッシーが、１個のメイン基盤−０１（部品番号「Ａ−００２−１」）および１個のレンズユニット−１（部品番号「Ａ−００５−１」）から構成され、さらにメイン基盤−０１は、３個の抵抗−１０Ｋ（部品番号「Ａ−００３−１」）および２個のコンデンサ−２Ｇ（部品番号「Ａ−００４−１」）から構成され、レンズユニット−１は、１個のレンズ−００１（部品番号「Ａ−００６−１」）から構成されていることを示している。
【００４１】
また、法令チェック部１０１は、取得したＢＯＭ１１０１の中の各部品のうち、親部品ごとに、親部品を構成する子の部品に含まれる化学物質の含有量を集計した集計表１１０２を取得する。図１１に示すように、法令チェック部１０１は、取得したＢＯＭ１１０１の中で親部品を構成する子の部品に含まれる化学物質とその含有量を集計する。図１１に示す例では、親部品であるメイン基盤−０１（部品番号「Ａ−００２−１」）を構成する子の部品（抵抗−１０Ｋ、コンデンサ−２Ｇ）に含まれる化学物質の量は、銅が７．５ｍｇ（２．５ｍｇ×３個）であり、アルミニウムが２．４ｍｇ（１．２ｍｇ×２個）であることを示している。これと同様に、レンズユニット−１には鉛が１．０ｍｇ含まれ、その結果、これらの親部品であるレンズアッシーには、銅が７．５ｍｇ、アルミニウムが２．４ｍｇ、鉛が１．０ｍｇ含まれていることを示している。
【００４２】
法令チェック部１０１は、部品の化学物質の集計が終了すると、各部品の含有化学物質の含有量とステップＳ１００２で取得した取引件数とを用いてその化学物質の使用量を集計し（ステップＳ１００４）、化学物質法令データベース２０４にアクセスし、ステップＳ１００１で指定された法令の判定期間における閾値と、集計した化学物質の量とを比較し（ステップＳ１００５）、集計した化学物質の量が、閾値を越えているか否かを判定する（ステップＳ１００６）。
【００４３】
例えば、法令チェック部１０１は、レンズアッシーには鉛が１．０ｍｇ含まれ、その取引件数は３０００件であることから、取引期間（２０１１年１月１日〜２０１１年６月３０日）において使用された鉛の量は３０００ｍｇであると集計し、ステップＳ１００１で指定された法令コードと、対象化学物質名称である「鉛」とをキーとして化学物質法令データベース２０４にアクセスし、判定期間（２０１１年１月１日〜２０１１年１２月３１日）における鉛の含有量の閾値５０００ｍｇと、集計した鉛の量３０００ｍｇとを比較し、集計した鉛の量が閾値を越えているか否かを判定する。
【００４４】
法令チェック部１０１は、集計した化学物質の量が、閾値を越えていないと判定した場合（ステップＳ１００６；Ｎｏ）、化学物質法令データベース２０４の閾値と、既に使用した化学物質の量とを比較して、残りの期間で使用可能な含有化学物質量を集計する（ステップＳ１００７）。例えば、法令チェック部１０１は、集計した鉛の量３０００ｍｇは、上述した閾値５０００ｍｇよりも少ない量であるため、残りの期間（２０１１年７月１日〜２０１１年１２月３１日）で使用可能な鉛の量は２０００ｍｇであると判定する。
【００４５】
そして、法令チェック部１０１は、使用可能な含有化学物質量と、Ｓ１００１で指定された部品の含有化学物質量とを比較し、生産（または購買）可能な部品の数量を集計する（ステップＳ１００８）。例えば、法令チェック部１０１は、レンズアッシーに含まれている鉛の量は１．０ｍｇであるため、レンズアッシー自体の生産（または購買）は２０００個まで可能と判定する。
【００４６】
その後、法令チェック部１０１は、通知対象とした部品番号や名称を含む部品情報、通知対象とした法令コードや法令名称を含む法令情報、化学物質の取引量、生産（または購買）可能な部品の数量、および法令への適合状況をクライアント端末３００に送信し、クライアント端末３００は、表示部３０２にこれらの情報を表示させる（ステップＳ１００９）。例えば、法令チェック部１０１は、部品番号「Ａ−００１−１」（レンズアッシー）、法令コード「Ｈ−００１」（○○○法）、それまでの鉛の取引量「３０００ｍｇ」、残りの期間で生産可能なレンズアッシーの数量「２０００個」、および法令に適合している旨の各情報をクライアント端末３００に送信し、クライアント端末３００は、表示部３０２にこれらの情報を含む充足時結果画面（図８）を表示する。
【００４７】
一方、法令チェック部１０１は、集計した化学物質の量が、閾値を越えていると判定した場合（ステップＳ１００６；Ｙｅｓ）、化学物質法令データベース２０４の閾値と、閾値を越えた化学物質の量とを比較して、超過分の含有化学物質量を集計する（ステップＳ１０１０）。例えば、法令チェック部１０１は、集計した鉛の量が７０００ｍｇである場合、上述した閾値５０００ｍｇよりも２０００ｍｇ多い量であるため、超過分の鉛の量は２０００ｍｇであると判定する。
【００４８】
そして、法令チェック部１０１は、超過分の含有化学物質量と、Ｓ１００１で指定された部品の含有化学物質量とを比較し、減量が必要な部品の数量を集計する（ステップＳ１０１１）。例えば、法令チェック部１０１は、レンズアッシーに含まれている鉛の量は１．０ｍｇであるため、レンズアッシーの生産（または購買）を２０００個減量する必要があると判定する。
【００４９】
その後、法令チェック部１０１は、ステップＳ１００９において送信した各情報に加え、さらに減量対象となる部品情報をクライアント端末３００に送信し、クライアント端末３００は、表示部３０２にこれらの情報を表示させる（ステップＳ１０１２）。例えば、法令チェック部１０１は、部品番号「Ａ−００１−１」（レンズアッシー）、法令コード「Ｈ−００１」（○○○法）、それまでの鉛の取引量「３０００ｍｇ」、残りの期間で生産可能なレンズアッシーの数量「２０００個」の各情報に加え、超過分の含有化学物質である「鉛」を含む部品「レンズ−００１」およびその部品番号「Ａ−００６−１」、法令に適合していない旨をクライアント端末３００に送信し、クライアント端末３００は、表示部３０２にこれらの情報を含む非充足時結果画面（図９）を表示する。そして、ステップＳ１００９またはＳ１０１２の処理が終了すると、図１０に示した適用状況通知処理の全ての処理が終了する。
【００５０】
このように、製品または前記製品を構成する部品の含有化学物質を管理する含有化学物質通知システム１０００において、クライアント端末３００は、製品または部品の化学物質の含有量が所定の法令を満たしているか否かについての判定結果を要求し、製品または部品の含有化学物質を管理する含有化学物質通知システム１０００（サーバ）から判定結果を取得するクライアント端末３００の制御部と、クライアント端末３００の制御部が取得した判定結果を表示する表示部３０２と、を備え、含有化学物質通知システム１０００（サーバ）は、所定の条件として定められた期間において取り扱いが可能な化学物質の量を示す閾値と、製品または部品に含まれる化学物質の含有量とを記憶する記憶部２００と、その期間に取り扱われた製品または部品の数と、製品または部品の化学物質の含有量とに基づいて、期間内に使用された化学物質の量を集計し、集計した化学物質の量が閾値を越えているか否かを判定することにより、所定の条件への適合状況を判定結果として通知する制御部１００と、を備えるので、対象法令準拠内での部品の生産/購買可能数量を確認することができる。
【００５１】
また、製品や部品単体での含有化学物質に対する法令適合状況のチェックだけでなく、年間取引量など単位期間での生産量や取引量が関連する法令（取引先の国や企業ごとに設定された独自法令を含む）に対するチェックを実施することができ、生産計画や販売計画、調達基準等のチェックや見直しの効率化を実現することができる。また、生産管理システムや購買システムと連携し、指定期間の取引量や生産量を考慮した上で製品の含有化学物質量を集計し、各種法令情報の適合状況を通知することができる。
【符号の説明】
【００５２】
１０００      含有化学物質通知システム
１００        制御部
１０１        法令チェック部
２００        記憶部
２０１        部品情報データベース
２０２        リンク情報データベース
２０３        含有化学物質情報データベース
２０４        化学物質法令データベース
２０５        生産データベース
２０６        購買データベース
３００        クライアント端末
２０１        入力部
３０２        表示部
Ｎ            ネットワーク。
【図１】
0005897361.tif 000002
【図２】
0005897361.tif 000003
【図３】
0005897361.tif 000004
【図４】
0005897361.tif 000005
【図５】
0005897361.tif 000006
【図６】
0005897361.tif 000007
【図７】
0005897361.tif 000008
【図８】
0005897361.tif 000009
【図９】
0005897361.tif 000010
【図１０】
0005897361.tif 000011
【図１１】
0005897361.tif 000012